(57)【要約】【課題】余計なコストや手間を掛けることなく、断裁面である天と地と小口の少なくとも一か所に文字や絵柄を形成した本を提供すること。【解決手段】断裁仕上げされた天と地と小口を有する本であって、各ページＳの版面端部にかかるように予めベタマークｍを印刷しておき、断裁により各ページＳのベタマークｍを繋がらせて文字や絵柄を表現することにより、天と地と小口の少なくとも一か所に文字や絵柄を形成する。印刷の版を作成するに際して、各ページの版面端部に位置する部位にベタマークを付加するだけでよいことから、インクジェットで印字するなどの特別な装置を必要とせず、また余計な加工工程も必要なく、断裁面に極めて低コストで文字や絵柄を付与することができる。【選択図】図１
2005254587.tif 000002
【特許請求の範囲】
【請求項１】
断裁仕上げされた天と地と小口を有する本であって、各ページの版面端部にかかるように予めベタマークを印刷しておき、断裁により各ページのベタマークを繋がらせて文字や絵柄を表現することにより、天と地と小口の少なくとも一か所に文字や絵柄を形成したことを特徴とする本。
【請求項２】
断裁面の文字や絵柄をピクセルの集合で表現するように、各ページのベタマークをピクセル単位で印刷することを特徴とする請求項１に記載の本。
【発明の詳細な説明】
【技術分野】
【０００１】
本発明は、刷本を綴じ合わせた後で仕上げ断裁の工程を経て製造される雑誌や単行本などの本の技術分野に属するものである。
【背景技術】
【０００２】
通常、印刷物は、印刷した紙のままの状態では保存に不便でありまた読みにくいことから、互いに接合して雑誌や単行本のようないわゆる本の形態とすることが多い。このように印刷物を本の形態とする場合、現在の印刷法では、多数の頁を一度に大きな紙に印刷するので、まず印刷した紙を折る工程が必要となる。すなわち、印刷された紙を揃え、折機にかけて折丁とするのである。次に、この折丁を頁の順にしたがって丁合し、簡単なものは針金で綴じたり或いは無線綴じしたりする。そして、仕上げ寸法に断裁するが、この場合、天と地と小口を一度に切る三方断裁機を使用するのが一般的である。
【０００３】
上記した簡単な製本様式を並製本（仮製本）というのに対し、糸とじして背糊で仮固めした後で天と地と小口の三方を化粧断ちし、中身を丸背、角背又は角山に固め、別に表紙貼りした表紙を着せて仕上げる製本様式を上製本（本製本）という。この様式では、表紙は天地及び小口ともに中身より大きく、必ず三方にチリがあり、見返しは糊で貼ってある。したがって、表紙の見返しの体裁がこのタイプでないものは、例え中身が糸とじであっても上製本ではない。
【非特許文献１】社団法人日本印刷学会編「印刷工学便覧」技報堂出版、１９９３年３月３０日、ｐ．７７３−７９２
【発明の開示】
【発明が解決しようとする課題】
【０００４】
ところで、上記した雑誌や単行本などの本は、本の見返しや所定のページに広告を有したものがある。特に、週刊誌、月刊誌等の雑誌では多くの広告を掲載したものが一般的である。このような本は一種の広告媒体として見ることができ、このうち広告媒体としての雑誌は、対象となる年齢や性別、嗜好などが区分されていることから、出版社にとってターゲットを絞った有効な広告効果を期待することができる。この雑誌の中でも、表紙４（裏表紙の表側）や表紙２（表表紙の裏側）、表紙３（裏表紙の裏側）などの表紙回りは読者の目につきやすく広告効果は大きい。ところが、断裁面である天と地と小口は、表紙回りで目につきやすいにも関わらず、広告には活用されていない。過去においては、製本後に天と地と小口の少なくとも一か所に対してインクジェットで印字するという方法が考えられていたが、製造コストや製造日程の面の問題から実用性は乏しい。
【０００５】
本発明は、上記のような事情に鑑みてなされたものであり、その目的とするところは、余計なコストや手間を掛けることなく、断裁面である天と地と小口の少なくとも一か所に文字や絵柄を形成した本を提供することにある。
【課題を解決するための手段】
【０００６】
上記の目的を達成するため、本発明の本は、断裁仕上げされた天と地と小口を有する本であって、各ページの版面端部にかかるように予めベタマークを印刷しておき、断裁により各ページのベタマークを繋がらせて文字や絵柄を表現することにより、天と地と小口の少なくとも一か所に文字や絵柄を形成したことを特徴とするものである。
【０００７】
そして、上記構成からなる本において、断裁面の文字や絵柄をピクセルの集合で表現するように、各ページのベタマークをピクセル単位で印刷することが好ましい。
【発明の効果】
【０００８】
本発明の本は、断裁仕上げされた天と地と小口を有する本であって、各ページの版面端部にかかるように予めベタマークを印刷しておき、断裁により各ページのベタマークを繋がらせて文字や絵柄を表現することにより、天と地と小口の少なくとも一か所に文字や絵柄を形成したことを特徴としているので、印刷の版を作成するに際して、各ページの版面端部に位置する部位にベタマークを付加するだけでよいことから、インクジェットで印字するなどの特別な装置を必要とせず、また余計な加工工程も必要なく、断裁面に極めて低コストで文字や絵柄を付与することができる。
【発明を実施するための最良の形態】
【０００９】
図１は本発明に係る本の一例を示す説明図であり、図示の本は例えばコミック本として用いられる平綴じ本を表している。
【００１０】
この平綴じ本Ｂは、図１に示すように、断裁された天と地と小口のうち、天の部分に文字（ＤＮＰ）が形成されている。この文字は、各ページの版面端部にかかるように予めベタマークｍを印刷しておき、断裁により各ページＳのベタマークｍが繋がらせて表現したものである。すなわち、印刷されたベタマークｍを断裁刃が横断するようにして断裁することで、各ページＳの切断端縁にベタマークｍを露出させ、この露出したベタマークｍの集合により文字を形成している。この場合、断裁面の画素、すなわちピクセルｐに合わせた文字や絵柄を画素を再現するために、解像度を落とすことでドット表現するようにしている。なお、図１において平綴じ本Ｂの天に書いてある縦横の線はピクセルｐを表すための仮想線である。
【００１１】
各ページＳにおけるベタマークｍは次のようにして作成している。すなわち、断裁面の文字や絵柄をピクセルｐの集合で表現するために、各ページＳの版面端部に位置する部位にベタマークｍをピクセル単位で印刷する。このとき、印刷工程での見当精度、折加工での折精度、製本工程での丁合精度からして、一つのピクセルｐの大きさを１〜２ｍｍとするのが好ましい。
【００１２】
図１に示した例では、平綴じ本Ｂにおける天の部分に文字を形成しているが、地の部分や小口の部分にも同様に文字や絵柄を施すことができる。そして、本発明を適用可能な本はこのような平綴じ本に限らず、断裁仕上げされた天と地と小口を有する本であれば、雑誌や単行本なと任意の形態の本であってもよいことは言うまでもない。
【００１３】
このように、本発明の本は断裁面である天と地と小口の少なくとも一か所に文字や絵柄を形成しており、しかも印刷の版にベタマークを付加するだけで形成できるので、今までは広告スペースとして活用されていなかった断裁面という目立つ場所をページ掲載と同じ感覚で広告に利用することができる。
【００１４】
週刊誌、月刊誌等の雑誌は、販売時に店頭において平積みされることが多い。また、新刊本についても、同様に店頭の目立つ場所にて平積みされることが多い。このような平積み状態になった場合でも、本発明の本は、天と地と小口の少なくとも一か所に文字や絵柄があるので、来店者にその本を目立たせることができる。
【００１５】
また、本発明の本は、天の部分に文字や絵柄を形成しておくことにより、書棚等に立てた状態で並べた状態でも上方から見える。したがって、文字や絵柄をその本に関する識別可能な情報としておくことで、本の管理を行うこともできる。
【００１６】
以上、本発明の実施の形態について詳細に説明してきたが、本発明による本は、上記実施の形態に何ら限定されるものではなく、本発明の趣旨を逸脱しない範囲において種々の変更が可能であることは当然のことである。
【図面の簡単な説明】
【００１７】
【図１】本発明に係る本の一例を示す説明図である。
【符号の説明】
【００１８】
Ｂ  平綴じ本
Ｓ  ページ
ｍ  ベタマーク
ｐ  ピクセル
【図１】
2005254587.tif 000003